(57)【特許請求の範囲】
【請求項１】
複数の医療機器にそれぞれ使用される共通の集積回路であって、
前記集積回路は演算部を有し、
前記演算部は、前記複数の医療機器のうち、少なくともいずれかと比較して低い演算機能を必要とする医療機器の機能を達成するのに十分である程度に低い演算処理能力を有し、
前記複数の医療機器のうち、前記演算処理能力よりも高い演算処理能力を必要とする医療機器に使用される前記集積回路は、前記医療機器の機能に応じて前記集積回路の一部の機能を補完する機能補完集積回路に接続されることを特徴とする集積回路。
【請求項２】
前記集積回路に接続された前記機能補完集積回路は、前記演算部との並列処理により前記集積回路の演算機能を補完することを特徴とする請求項１に記載の集積回路。
【請求項３】
前記集積回路には前記医療機器が有するセンサからの検出信号が入力されることを特徴とする請求項１または２に記載の集積回路。
【請求項４】
前記複数の医療機器は、シリンジポンプ、輸液ポンプ、血糖計および血圧計であることを特徴とする請求項３に記載の集積回路。
【請求項５】
前記センサからの検出信号を増幅する増幅部をさらに有し、
前記演算部は、前記増幅部によって増幅された検出信号を受けて、内部プログラムに応じて検出結果の算出または前記医療機器の制御のための演算処理を行なうことを特徴とする請求項３または４に記載の集積回路。
【請求項６】
前記医療機器が前記シリンジポンプまたは前記輸液ポンプである場合に前記機能補完回路が接続されることを特徴とする請求項４に記載の集積回路。
【請求項７】
請求項１〜６のいずれか１項に記載の集積回路を使用した医療機器。
【発明の詳細な説明】
【技術分野】
【０００１】
本発明は、集積回路およびこれを使用した医療機器に関する。
【背景技術】
【０００２】
従来、医療用機器の内部回路は、マイクロコンピュータやオペアンプといった電子部品を配線基板上にハイブリット実装して構成していた。【０００３】
複数の部品を単一の集積回路に集積化（以下、「ワンチップ化」と称する）して部品の低コスト化を実現する技術としては下記文献（特許文献１）に記載されたものがある。
【先行技術文献】
【特許文献】
【０００４】
【特許文献１】特開２００１−２１２０９８号公報
【発明の概要】
【発明が解決しようとする課題】
【０００５】
しかし、上記従来技術によりワンチップ化された集積回路は、一の機器用の専用部品としてカスタマイズされるため、使用する集積回路に要求される機能が異なる他の機器に実装される共通の部品として使用することができない。このため、複数の機器において部品を共通化することによるさらなる低コスト化を実現できないという問題がある。【０００６】
本発明は、このような問題を解決するためになされたものであり、医療機器用部品およびこれを使用した医療機器のさらなる低コスト化を実現することを目的とする。
【課題を解決するための手段】
【０００７】
上記課題を解決するために、本発明に係る集積回路は、複数の医療機器にそれぞれ使用される共通の集積回路であって、前記集積回路は演算部を有し、前記演算部は、前記複数の医療機器のうち、少なくともいずれかと比較して低い演算機能を必要とする医療機器の機能を達成するのに十分である程度に低い演算処理能力を有し、前記複数の医療機器のうち、前記演算処理能力よりも高い演算処理能力を必要とする医療機器に使用される前記集積回路は、前記医療機器の機能に応じて前記集積回路の一部の機能を補完する機能補完集積回路に接続される。
【０００８】
また、本発明に係る医療機器は、上記機能補完集積回路を使用してなる。
【発明の効果】
【０００９】
本発明に係る集積回路によれば、複数の医療機器にそれぞれ使用される共通の部品群をプラットフォーム集積回路として共通化するとともに、高機能な機器についてはプラットフォーム集積回路の一部の機能を補完する集積回路（以下、「機能補完集積回路」と称する）をプラットフォーム集積回路と併用する。これにより、複数の医療機器の部品の共通化、対象となる医療機器の範囲の拡大、および、共通化した集積回路のチップサイズの低減、が可能となるため、医療機器用部品およびこれを使用した医療機器のさらなる低コスト化を実現することができる。
【図面の簡単な説明】
【００１０】
【図１】本発明の実施形態に係る医療機器のうちシリンジポンプおよび輸液ポンプの機能ブロック図を示す図である。
【図２】本発明の実施形態に係る医療機器のうち血糖計および血圧計の機能ブロック図を示す図である。
【図３】本発明の実施形態に係るプラットフォーム集積回路の機能ブロック構成を説明するための説明図である。
【図４】本発明の実施形態に係るシリンジポンプにおけるプラットフォーム集積回路の使用形態を示す図である。
【図５】本発明の実施形態に係る輸液ポンプにおけるプラットフォーム集積回路の使用形態を示す図である。
【図６】本発明の実施形態に係る血圧計におけるプラットフォーム集積回路の使用形態を示す図である。
【図７】本発明の実施形態に係る血糖計におけるプラットフォーム集積回路の使用形態を示す図である。
【発明を実施するための形態】
【００１１】
以下、図面を参照して、本発明の実施形態に係る集積回路およびこれを使用した医療機器について詳細に説明する。
【００１２】
図１は、本実施形態に係る医療機器のうちシリンジポンプおよび輸液ポンプの機能ブロック図を示す図である。
【００１３】
図２は、本実施形態に係る医療機器のうち血糖計および血圧計の機能ブロック図を示す図である。
【００１４】
なお、図１、２において、医療機器の一部の機能ブロックを省略している。
【００１５】
図１、２に示すように、本実施形態に係る医療機器には、本実施形態に係る集積回路１００（以下、「プラットフォーム集積回路」と称する）がそれぞれ共通に使用される。
【００１６】
図１、２に示す医療機器１０、１１は、それぞれに備えられたセンサ１２０により検出された信号（以下、「検出信号」と称する）がプラットフォーム集積回路１００に入力されると、検出信号はプラットフォーム集積回路１００が有する信号処理部２１０で増幅される。
【００１７】
医療機器１０、１１は、シリンジポンプ、輸液ポンプ、血糖計および血圧計のいずれかとすることができる。
【００１８】
センサ１２０は、医療機器１０、１１がシリンジポンプおよび輸液ポンプである場合は閉塞圧力センサが、医療機器１０、１１が血圧計である場合は圧力センサおよびマイクが、医療機器１０、１１が血糖計である場合は血糖センサが、該当する。
【００１９】
プラットフォーム集積回路１００が有するＣＰＵ（Ｃｅｎｔｒａｌ  Ｐｒｏｃｅｓｓｉｎｇ  Ｕｎｉｔ、演算部）２２１は、増幅された検出信号に基づいて演算を行い、検出結果を算出し、医療機器１０、１１の制御を行う。検出結果は、医療機器１０、１１に備えられたフラッシュメモリ２８４に記録され、ＬＣＤ（Ｌｉｑｕｉｄ  Ｃｒｙｓｔａｌ  Ｄｉｓｐｌａｙ）２８２に表示されることができる。また、測定の完了を判断したときや異常を検出したときは、医療機器１０、１１に備えられたブザー２８１を鳴らすような制御をすることができる。
【００２０】
図１に示すように、本実施形態に係る機器のうち、医療機器１０については、プラットフォーム集積回路１００とともにゲートアレイ１１０が用いられる。一方、図２に示すように、本実施形態に係る機器のうち、医療機器１１については、ゲートアレイ１１０は用いられない。
【００２１】
このように、本実施形態に係るプラットフォーム集積回路１００は、用いられる医療機器１０、１１の機能に応じて、ゲートアレイ１１０を併用することができる。ゲートアレイ１１０は、プラットフォーム集積回路１００の一部の機能を補完するように構成される。
【００２２】
ゲートアレイ１１０は、例えば、配線の変更によりカスタマイズする方式（例えば、アルミマスタスライス方式）のゲートアレイであってもよく、論理回路の書込みまたは再書込みによりプログラマブルにカスタマイズする方式のゲートアレイ（例えば、ＦＰＧＡ（Ｆｉｅｌｄ  Ｐｒｏｇｒａｍｍａｂｌｅ  Ｇａｔｅ  Ａｒｒａｙ））であってもよい。ゲートアレイ１１０は、汎用部品として市販されているものを用いてもよい。
【００２３】
一般的に、シリンジポンプおよび輸液ポンプに用いる集積回路には、演算処理能力の高い高機能（高性能）な演算装置すなわちＣＰＵが必要とされる。一方、血圧計および血糖計に用いる集積回路には、シリンジポンプおよび輸液ポンプに用いるＣＰＵほど高機能なＣＰＵは要求されない。このため、プラットフォーム集積回路１００のＣＰＵ２２１によって、上述した４つの医療機器１０、１１すべての機能を達成しようとすると、ＣＰＵの機能をシリンジポンプおよび輸液ポンプに合わせざるを得ず、血圧計および血糖計に用いる場合には、プラットフォーム集積回路１００のＣＰＵ２２１はオーバースペックとなる。すなわち、プラットフォーム集積回路１００のチップサイズの増大を招き、効果的に部品コストの低減を実現することが困難となる。
【００２４】
そこで、本実施形態に係るプラットフォーム集積回路１００は、そのＣＰＵの機能を、血圧計および血糖計の機能を達成するのに十分な程度の、比較的低い演算処理能力を有するものとする。そして、シリンジポンプおよび輸液ポンプに用いられる場合には、プラットフォーム集積回路１００のＣＰＵ２２１とゲートアレイ１１０とを接続し、プラットフォーム集積回路１００のＣＰＵ２２１とゲートアレイ１１０との並列処理により演算処理を行なう。すなわち、血圧計および血糖計は医療機器１１の構成とし、シリンジポンプおよび輸液ポンプは医療機器１０の構成とし、医療機器１０においては、プラットフォーム集積回路１００は、プラットフォーム集積回路１００のＣＰＵとの並列処理によりプラットフォーム集積回路１００のＣＰＵの機能を補完するためのゲートアレイ１１０が接続可能なように構成する。シリンジポンプおよび輸液ポンプに設けたゲートアレイ１１０が補完する機能としては、例えば、チューブ内の気泡を検出するための気泡検出機能、点滴状態を検出する点滴検出機能、モーター制御機能などがあげられ、他の機能はＣＰＵ２２１のみに存在する。
【００２５】
このように、本実施形態に係るプラットフォーム集積回路１００によれば、複数の医療機器１０、１１に共通に用いられるプラットフォーム集積回路１００のＣＰＵ２２１の規模を小さくすることができるため、チップサイズを低減し、部品コストを低減することができる。チップサイズ低減効果を向上させるために、プラットフォーム集積回路１００はフルカスタムであるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で構成することが望ましいが、セミカスタムであるスタンダードセルで構成してもよい。
【００２６】
また、本実施形態に係るプラットフォーム集積回路１００によれば、プラットフォーム集積回路１００の一部の構成要素の機能を比較的低い機能を有するように構成しても、該機能よりも高い機能が要求される測定装置にまで適用対象範囲を拡大することができる。このため、量産効果により、さらに部品コストを低減することができる。
【００２７】
図３は、本発明の実施形態に係るプラットフォーム集積回路の機能ブロック構成を説明するための説明図である。図３においては、プラットフォーム集積回路１００とともに、本実施形態に係る医療機器１０、１１の構成要素、および、医療機器１０、１１に接続される外部装置（電源２９２、外部システム２９１）も示している。
【００２８】
本実施形態に係る医療機器１０は、例えば、シリンジポンプおよび輸液ポンプとすることができ、医療機器１１は、例えば、血糖計および血圧計とすることができ、これらの医療機器１０、１１には、本実施形態に係るプラットフォーム集積回路１００がそれぞれ共通に使用される。図３においては、医療機器１０の場合にプラットフォーム集積回路と接続されるゲートアレイは図示していない。
【００２９】
図３に示すように、プラットフォーム集積回路１００は、シリンジポンプ、輸液ポンプ、血糖計および血圧計に共通に使用できるように、これらの複数の医療機器１０、１１に共通に必要とされる部品群（機能ブロック）を有するように構成して１チップ化される。これにより、部品の１チップ化および部品の共通化による部品コストおよび実装コストの低減が可能となる。
【００３０】
本実施形態に係るプラットフォーム集積回路１００は、例えば、信号処理部２１０、制御部２２０、演算部２３０、記憶部２４０、入出力部２５０、内部クロック部２６０および電源部２７０を有する。
【００３１】
信号処理部２１０は、増幅部２１０ａ、マルチプレクサ２１４、ＡＤ変換器２１５により構成される。
【００３２】
増幅部２１０ａは、ＰＧＡ（Ｐｒｏｇｒａｍｍａｂｌｅ  Ｇａｉｎ  Ａｍｐ）２１１と、増幅器Ａ２１２、増幅器Ｂ２１３とを有し、プラットフォーム集積回路１００の外部に配置される各外部センサからのアナログ入力信号を増幅する。ＰＧＡ２１１は３つのオペアンプおよび抵抗器を用いて増幅率可変の差動増幅器として構成してもよい。増幅器Ａ２１２、増幅器Ｂ２１３はそれぞれオペアンプを用いてシングル入力の増幅器として構成してもよい。
【００３３】
マルチプレクサ２１４は、ＰＧＡ２１１、増幅器Ａ２１２、増幅器Ｂ２１３で増幅されたアナログ入力信号を内部クロック部２６０が生成した内部クロックの所定のタイミングで時分割多重する。
【００３４】
図３においては、マルチプレクサ２１４は、増幅部２１０ａからのアナログ信号のみを多重化しているが、マルチプレクサ２１４は、増幅部２１０ａを介さないアナログ入力信号（図示せず）を含め、複数のアナログ入力信号を多重化することができるように構成することができる。マルチプレクサ２１４は８チャンネルの信号を多重化できるものを用いてもよい。
【００３５】
ＡＤ変換器２１５は、マルチプレクサが多重したアナログ入力信号をデジタル信号にデジタル変換する。
【００３６】
多重化されデジタル変換されたアナログ入力信号は、ＳＰＩ（Ｓｅｒｉａｌ  Ｐｅｒｉｐｈｅｒａｌ  Ｉｎｔｅｒｆａｃｅ）を介して、プラットフォーム集積回路１００外部に実装されたフラッシュメモリ２８４に記憶されることができる。
【００３７】
制御部２２０は、ＣＰＵ２２１、カレントドライバ２２２、ＤＡ変換器２２３、デジタルコントローラ２２４、ブザーコントローラ２２５、ＬＣＤドライバ２２６、音声部２２７を有する。
【００３８】
ＣＰＵ２２１は、記憶部に記憶されたプログラム（内部プログラム）に基づいて、プラットフォーム集積回路１００の各構成要素を制御する。また、ＣＰＵ２２１は演算部２３０を兼ね、記憶部２４０に記憶されたプログラムに基づいて各種演算を行う。
【００３９】
カレントドライバ２２２は定電流源回路を有し、医療機器に実装された閉塞圧力センサなどの各種センサに電流を印加する。
【００４０】
ＤＡ変換器２２３は、ＣＰＵ２２１またはデジタルコントローラ２２４からのデジタル制御信号をアナログに変換し、アナログ制御信号により、医療機器１０、１１のそれぞれの機能に応じたＰＧＡ２１１のゲインを設定する。
【００４１】
ブザーコントローラ２２５は、医療機器に実装されたブザー２８１を制御する。
【００４２】
ＬＣＤドライバ２２６は、医療機器に実装されたＬＣＤ２８２を制御して、ＬＣＤ２８２に表示される画像を制御する。
【００４３】
音声部２２７は、ＣＯＤＥＣ（Ｃｏｄｅｒ／Ｄｅｃｏｒｄｅｒ）とＤＡ変換器とを有し、記憶部２４０に記憶したデジタル音声信号を複合およびＤＡ変換し、医療機器に実装された音声アンプで増幅しスピーカ２８３から音声を出力させる。
【００４４】
演算部２３０はＣＰＵ２２１により構成され、制御部２２０の指示により各種演算を行う。
【００４５】
記憶部２４０はＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）を有する。ＲＯＭは不揮発性の記憶装置であり、各医療機器１０、１１用のプログラムを記憶する。外部システム２９１からＲＯＭに各医療装置１０、１１用のプログラムをインストールすることがきるようにしてもよい。ＲＡＭは、ＣＰＵ２２１が直接アクセスする主記憶装置として機能させてもよい。
【００４６】
入出力部２５０は、ＳＰＩ、Ｉ２Ｃ（Ｉｎｔｅｒ−Ｉｎｔｅｇｒａｔｅｄ  Ｃｉｒｃｕｉｔ）、ＵＡＲＴ（Ｕｎｉｖｅｒｓａｌ  Ａｓｙｎｃｈｒｏｎｏｕｓ  Ｒｅｃｅｉｖｅｒ）若しくはＵＳＢ（Ｕｎｉｖｅｒｓａｌ  Ｓｅｒｉａｌ  Ｂｕｓ）およびＦｅｌｉＣａインタフェースを有して構成することができる。例えば、ＳＰＩおよびＩ２Ｃはそれぞれフラッシュメモリ２８４および充電池残量計２８５とのインタフェースに、ＵＡＲＴ、ＵＳＢ、ＦｅｌｉＣａインタフェースは、外部システム２９１（例えば、コンピュータ）とのインタフェースとして採用することができる。
【００４７】
内部クロック部２６０は、ＲＴＣ（Ｒｅａｌ  Ｔｉｍｅ  Ｃｌｏｃｋ）、ＰＬＬ（Ｐｈａｓｅ  Ｌｏｃｋｅｄ  Ｌｏｏｐ）、タイミング生成部、ＷＤＴ（Ｗａｔｃｈ  Ｄｏｇ  Ｔｉｍｅｒ）を有する。
【００４８】
プラットフォーム集積回路１００の内部の基準クロックである内部クロックは、プラットフォーム集積回路１００外部から入力される水晶発信器２９３の発振信号に基づいてＰＬＬにより発生させることができる。タイミング生成部は、プラットフォーム集積回路１００の各構成要素の動作タイミングを生成する。例えば、マルチプレクサ２１４における時分割多重におけるＰＧＡ２１１、増幅器Ａ２１２および増幅器Ｂ２１３からのアナログ入力信号の選択の切替タイミングを生成する。
【００４９】
電源部２７０は、ＤＣ／ＤＣコンバータ、レギュレータおよび電圧検出器を有する。これらの構成要素により、電源部２７０は、外部の電源２９２から供給される電圧を、所望の電圧値を有する安定な内部電源電圧に変換する。
【００５０】
次に、本実施形態に係る医療機器におけるプラットフォーム集積回路１００の使用形態について図４〜７を参照して説明する。
【００５１】
上述したように、プラットフォーム集積回路１００を医療機器１０としてのシリンジポンプおよび輸液ポンプに使用する場合は、プラットフォーム集積回路１００にはプラットフォーム集積回路１００のＣＰＵ２２１の演算機能を補完するゲートアレイ１１０が接続される。図４〜７において、医療機器の一部の機能ブロックを省略している。
【００５２】
図４は、本実施形態に係るシリンジポンプにおけるプラットフォーム集積回路１００の使用形態を示す図である。
【００５３】
シリンジポンプは、集中治療室（ＩＣＵ）などで患者への栄養補給や輸血、化学療法剤や麻酔薬といった薬液注入を高い精度で比較的長時間行なうことを主目的とした医療機器であり、その薬液流量制御が他の形式のポンプと比較して優れている。
【００５４】
シリンジポンプが有する閉塞圧力センサにより検出された閉塞圧力は、差動電圧信号（検出信号）としてＰＧＡ２１１に入力されて増幅され、マルチプレクサ２１４に１チャンネル分の信号として入力される。ＰＧＡ２１１の増幅率はＤＡ変換器２２３により適切な値に設定される。
【００５５】
電源電圧（二次電池の出力電圧）、モータ駆動電圧、スライダ位置検出、シリンジサイズ検出の各信号は、プラットフォーム集積回路１００の入力部である入力Ａ〜Ｄにそれぞれ入力され、それぞれマルチプレクサ２１４に１チャンネル分の信号として入力される。
【００５６】
増幅された閉塞圧力と、電源電圧、モータ駆動電圧、スライダ位置検出、シリンジサイズ検出の各信号とは、マルチプレクサ２１４で時分割多重され、ＡＤ変換器２１５でデジタル変換される。デジタル変換された各信号はＳＰＩ１２１を介して外部のフラッシュメモリ２８４に記憶させ、シリンジポンプの制御用信号、異常検出信号として利用することができる。
【００５７】
図５は、本実施形態に係る輸液ポンプにおけるプラットフォーム集積回路１００の使用形態を示す図である。
【００５８】
輸液ポンプは、設定した一時間あたりの点滴量で、持続的に薬剤を投与する医療機器であり、例えば、手術後における患者に、正確に点滴をしたい時に使用される。
【００５９】
輸液ポンプが有する二つの閉塞圧力センサにより検出された閉塞圧力１、閉塞圧力２は、スイッチＳＷで選択されたいずれか一方の閉塞圧力が差動電圧信号（検出信号）としてＰＧＡ２１１に入力され、ＰＧＡ２１１により増幅された後、マルチプレクサ２１４に１チャンネル分の信号として入力される。ＰＧＡ２１１の増幅率はＤＡ変換器２２３により適切な値に設定される。
【００６０】
電圧および温度の各信号は、プラットフォーム集積回路１００の入力部である入力Ａおよび入力Ｂにそれぞれ入力され、マルチプレクサ２１４にそれぞれ１チャンネル分の信号として入力される。
【００６１】
増幅された二つの閉塞圧力と、電源電圧（二次電池の出力電圧）および温度の各信号とは、マルチプレクサ２１４で時分割多重され、ＡＤ変換器２１５でデジタル変換される。デジタル変換された各信号はＳＰＩを介して外部のフラッシュメモリ２８４に記憶させ、輸液ポンプの制御信号、異常検出信号として利用することができる。
【００６２】
図６は、本実施形態に係る血圧計におけるプラットフォーム集積回路１００の使用形態を示す図である。
【００６３】
血圧計は、人間の血圧を測定する医療機器である。
【００６４】
血圧計が有する圧力センサにより検出された圧力信号（検出信号）は、アナログ差動電圧信号としてＰＧＡ２１１に入力され、ＰＧＡ２１１により差動増幅された後、マルチプレクサ２１４に１チャンネル分の信号として入力される。ＰＧＡ２１１の増幅率はＤＡ変換器２２３により適切な値に設定される。
【００６５】
さらに、ＰＧＡ２１１により差動増幅された圧力信号は、増幅器Ａ２１２とともにバンドパスフィルタを構成するバンドパスフィルタＢＰＦ１により増幅およびフィルタリングされた後、マルチプレクサ２１４に１チャンネル分の信号として入力される。圧力信号をバンドパスフィルタＢＰＦ１でフィルタリングすることで、圧力信号から血圧測定に直接利用できる脈波成分のみを抽出することができる。
【００６６】
圧力センサからの圧力信号はオシロメトリック法による血圧測定に利用することができる。
【００６７】
マイクからの音声信号（電圧の検出信号）は、増幅器Ｂ２１３とともにバンドパスフィルタを構成するバンドパスフィルタＢＰＦ２により増幅およびフィルタリングされた後、マルチプレクサ２１４に１チャンネル分の信号として入力される。
【００６８】
マイクからの音声信号は、コロトコフ音法による血圧測定に利用することができる。
【００６９】
カレントドライバ２２２は、圧力センサに電流を印加する。
【００７０】
プラットフォーム集積回路１００の入力部である入力Ａ〜Ｅは、血圧値の測定に関する他の信号が入力されてもよい。
【００７１】
増幅された圧力、さらに増幅およびフィルタリングされた圧力、音声の各信号は、マルチプレクサ２１４で時分割多重され、ＡＤ変換器２１５でデジタル変換される。デジタル変換された各信号はＳＰＩを介して外部のフラッシュメモリ２８４に記憶させ、血圧計の測定結果（検出結果）、制御信号、異常検出信号として利用することができる。
【００７２】
図７は、本実施形態に係る血糖計におけるプラットフォーム集積回路１００の使用形態を示す図である。
【００７３】
血糖計は、人間の血糖値を測定する医療機器である。
【００７４】
血糖計が有する血糖センサにより検出された光信号（電流の検出信号）は、外付の抵抗器とともにトランスインピーダンスアンプを構成する増幅器Ａ２１２により電流／電圧変換され増幅された後、マルチプレクサ２１４に１つのチャンネルとして入力される。
【００７５】
血糖センサ（光センサ）は、ＬＥＤ（Ｌｉｇｈｔ−ｅｍｉｔｔｉｎｇ  Ｄｉｏｄｅ）とＰＤ（Ｐｈｏｔｏ  Ｄｉｏｄｅ）とで構成される。
【００７６】
さらに、増幅器Ａ２１２により増幅された光信号は、差動信号の一方としてＰＧＡ２１１に入力されるとともに、差動信号の他方としてローパスフィルタＬＰＦを介してＰＧＡ２１１に入力される。
【００７７】
ＰＧＡ２１１は、ＬＰＦを介して入力される光信号とＬＰＦを介さずに入力される光信号との差を増幅する。これにより、光信号のうち血糖値の測定に利用する高周波成分を高精度に抽出することができる。ＰＧＡ２１１により増幅された信号は、マルチプレクサ２１４に１つのチャンネルとして入力される。ＰＧＡ２１１の増幅率はＤＡ変換器２２３により適切な値に設定される。
【００７８】
カレントドライバ２２２は、血糖センサを構成するＬＥＤに電流を印加する。
【００７９】
プラットフォーム集積回路１００の入力部である入力Ａ〜Ｅは、血糖値の測定に関する他の信号が入力されてもよい。例えば、血糖値の補正のために温度を測定するサーミスタからの温度信号が入力されてもよい。
【００８０】
増幅された光信号と、高周波成分が抽出された光信号とは、マルチプレクサ２１４で時分割多重され、ＡＤ変換器２１５でデジタル変換される。デジタル変換された各信号はＳＰＩを介して外部のフラッシュメモリ２８４に記憶させ、血糖計の測定結果（検出結果）、制御信号、異常検出信号として利用することができる。なお、血糖計で用いる血糖センサとして光センサを例示したが、これに限定されず、アンペロメトリー等を利用した電極センサを適用してもよい。
【００８１】
このように、本実施形態に係る集積回路およびこれを使用した医療機器によれば、複数の医療機器にそれぞれ使用される共通の部品群をプラットフォーム集積回路として共通化するとともに、高機能な医療機器については機能補完集積回路をプラットフォーム集積回路と併用する。これにより、複数の医療機器の部品の共通化、対象となる医療機器の範囲の拡大、および、共通化した集積回路のチップサイズの低減、が可能となるため、医療機器用部品およびこれを使用した医療機器のさらなる低コスト化を実現することができる。
【００８２】
以上、本発明の実施形態に係る集積回路およびこれを使用した医療機器について説明したが、本発明は上述した実施形態に限定されるものではない。
【００８３】
例えば、上述した実施形態においては、集積回路を、シリンジポンプ、輸液ポンプ、血糖計および血圧計の４つの医療機器に共通に用いるものとして説明をしているが、これ以外の医療機器について共通に用いるものであってもよく、また、共通に用いる医療機器の数は限定されない。
【００８４】
また、上述した実施形態においては、機能補完集積回路が補完する集積回路の一部の機能としてＣＰＵの演算機能を例として説明しているが、例えば、ブザーコントローラやＬＣＤドライバの機能を機能補完集積回路が補完してもよい。
【００８５】
上述した実施形態においては、機能補完集積回路として汎用品であるゲートアレイを例として説明しているが、機能補完集積回路は、セミカスタムのスタンダードセルであってもよく、フルカスタムのＡＳＩＣであってもよい。
【００８６】
本出願は、２０１０年３月３１日に出願された日本特許出願番号２０１０−０８０２２４号に基づいており、その開示内容は、参照され、全体として、組み入れられている。
【符号の説明】
【００８７】
１０、１１    医療機器、
１００    プラットフォーム集積回路、
１１０    ゲートアレイ、
１２０    センサ、
２１０    信号処理部、
２２０    制御部、
２３０    演算部、
２４０    記憶部、
２５０    入出力部、
２６０    内部クロック部、
２７０    電源部、
２８１    ブザー、
２８２    ＬＣＤ、
２８３    音声アンプとスピーカ、
２８４    フラッシュメモリ、
２８５    充電池残量計、
２９１    外部システム、
２９２    電源、
２９３    水晶発振器。
【図３】
0005847703.tif 000002
【図１】
0005847703.tif 000003
【図２】
0005847703.tif 000004
【図４】
0005847703.tif 000005
【図５】
0005847703.tif 000006
【図６】
0005847703.tif 000007
【図７】
0005847703.tif 000008